(57)【要約】      （修正有）【課題】容易に使え、安全に足を保温し、低温の環境で快適に歩き得る中敷の提供。【解決手段】押圧式発熱構造を有する中敷１であって、中敷１内に設けられて互いに電気的に連接して回路に形成される押圧発電モジュール２と、二つの可撓性片状導電部３と、少なくとも一つの電気抵抗発熱チップ４とを備え、押圧発電モジュール２は圧力を受けることで電力を発生するもので、中敷１の踵の部分に位置され、且つ順次に重ねられる第一導電層と、第一化合物結晶層と、第二導電層と、第二化合物結晶層とを有する。第一導電層と第二導電層との間には、第一化合物結晶層外に取り囲む片状絶縁層が設けられ、第一導電層及び第一化合物結晶層が別々に二つの可撓性片状導電部３の中の一つに対応して電気的に連接される。電気抵抗発熱チップ４は、表面実装部品であり、二つの可撓性片状導電部３の自由端の間に電気的に連接して設けられ、且つ中敷１の前半張りの部分に位置される。【選択図】図１
0003201767.tif 000002
【実用新案登録請求の範囲】
【請求項１】
中敷と、当該中敷内に設けられて互いに電気的に連接して回路に形成される押圧発電モジュールと、二つの可撓性片状導電部と、少なくとも一つの電気抵抗発熱チップとを備え、
当該押圧発電モジュールは圧力を受けることで電力を生産することであり、当該中敷の踵の部分に位置され、且つ順次に重ねられる第一導電層と、第一化合物結晶層と、第二導電層と、第二化合物結晶層とを有し、当該第一導電層と当該第二導電層との間に、当該第一化合物結晶層外に取り囲む片状絶縁層が設けられ、当該第一導電層及び当該第一化合物結晶層が別々に二つの当該可撓性片状導電部の中の一つに対応して電気的に連接され、
当該電気抵抗発熱チップが、表面実装部品であり、二つの当該可撓性片状導電部の自由端の間に表面実装技術で電気的に連接して設けられ、且つ当該中敷の前半張りの部分に位置されることを特徴とする押圧式発熱構造を有する中敷。
【請求項２】
前記第一導電層及び前記第二導電層、両方も銅導電層であり、
前記第一化合物結晶層及び前記第二化合物結晶層、両方も酒石酸カリウムナトリウム、石英及びセラミックスで混合して焼結されることを特徴とする請求項1に記載の押圧式発熱構造を有する中敷。
【請求項３】
前記可撓性片状導電部の自由端の縁が、一体化に設けられることを特徴とする請求項2に記載の押圧式発熱構造を有する中敷。
【請求項４】
前記中敷は上層部と、
当該上層部に対応して且つ当該上層部の底面に設けられる下層部と、
当該上層部と当該下層部との間に設けられ、当該上層部及び当該下層部を連接して、前記押圧発電モジュール、前記可撓性片状導電部及び前記電気抵抗発熱チップを固定する粘着層とを備えることを特徴とする請求項3に記載の押圧式発熱構造を有する中敷。
【請求項５】
前記上層部が前記第二化合物結晶層に対応する位置に、第一絶縁貼紙層が設けられ、前記粘着層が前記第一導電層に対応する位置に、第二絶縁貼紙層が設けられることを特徴とする請求項4に記載の押圧式発熱構造を有する中敷。
【考案の詳細な説明】
【技術分野】
【０００１】
本考案は、押圧式発熱構造を有する中敷を関し、特に電池が要らなくて、中敷の温度も高くなり、足が保温されることを達成する押圧式発熱構造を有する中敷に関するものである。
【背景技術】
【０００２】
従来の中敷の足を保温するための設計は、主に熱伝導の悪い材料、例えば：革、ポリマーなどの材料で、熱の散逸を減少することで、保温の効果を達成する。
【０００３】
しかし、この方法のポイントは、使用者の身体の肌が充分な体温を産生することで、使えるようになり、もし使用者の血液循環が悪いなら、元々足の温度が低く、断熱効果の良い中敷でも、有効に防寒することができない。
【０００４】
従来の中敷には、電力で加熱するものもあり、しかし、その温度制御は良くなく、温度が高すぎるや低すぎる恐れがあり、使用者に危害を及ぶ。且つ電池を別に設置する必要があり、弾性が不足であり、使用者にとって快適性及び便利性が低くなる。
【０００５】
そこで、従来の中敷或いは熱を発生するものには、上記の問題を改善する必要があるので、本考案の課題となる。
【考案の概要】
【考案が解決しようとする課題】
【０００６】
本考案は、容易に使い、有効で安全に足を保温し、低温の環境で、消費者はさらに快適に歩くようになる押圧式発熱構造を有する中敷を提供することを目的とする。
【課題を解決するための手段】
【０００７】
前記問題点を解決でき、上記目的を達成するために、本考案の押圧式発熱構造を有する中敷は、中敷と、当該中敷内に設けられて互いに電気的に連接して回路に形成される押圧発電モジュールと、二つの可撓性片状導電部と、少なくとも一つの電気抵抗発熱チップとを備え、当該押圧発電モジュールは圧力を受けることで電力を生産することであり、当該中敷の踵の部分に位置され、且つ順次に重ねられる第一導電層と、第一化合物結晶層と、第二導電層と、第二化合物結晶層とを有し、当該第一導電層と当該第二導電層との間に、当該第一化合物結晶層外に取り囲む片状絶縁層が設けられ、当該第一導電層及び当該第一化合物結晶層が別々に二つの当該可撓性片状導電部の中の一つに対応して電気的に連接され、当該電気抵抗発熱チップは、表面実装部品であり、二つの当該可撓性片状導電部の自由端の間に表面実装技術で電気的に連接して設けられ、且つ当該中敷の前半張りの部分に位置されることを特徴とする。
【０００８】
前記第一導電層及び前記第二導電層、両方も銅導電層であり、前記第一化合物結晶層及び前記第二化合物結晶層、両方も酒石酸カリウムナトリウム、石英及びセラミックスで混合して焼結されることが好ましい。
【０００９】
前記可撓性片状導電部の自由端の縁が、一体化に設けられることが好ましい。
【００１０】
前記中敷は上層部と、当該上層部に対応して且つ当該上層部の底面に設けられる下層部と、当該上層部と当該下層部との間に設けられ、当該上層部及び当該下層部を連接して、前記押圧発電モジュール、前記可撓性片状導電部及び前記電気抵抗発熱チップを固定する粘着層とを備えることが好ましい。
【００１１】
前記上層部が前記第二化合物結晶層に対応する位置に、第一絶縁貼紙層が設けられ、前記粘着層が前記第一導電層に対応する位置に、第二絶縁貼紙層が設けられることが好ましい。
【考案の効果】
【００１２】
本考案は、従来の技術と比べて、次に列挙する効果がある。
【００１３】
1.本考案には、押圧発電モジュールと、可撓性片状導電部と、電気抵抗発熱チップとの配合によって、温度制御について温度が高すぎるや低すぎるという問題がとても少なく、安全性が高く、別の電源が要らなく、そして最も重要なのは、故障しにくくて、耐衝撃性が良い。
【００１４】
2.本考案には、発熱中敷内の押圧発電モジュールは、人体は中敷に踏む運動エネルギーを受け、電力を発生し、その後に電力が電気抵抗発熱チップを通じ、熱を発生し、従来の中敷と比べ、安全性が高く、且つ電池を別に加える必要がなく、弾性も充分であり、快適性及び便利性もよい。
【図面の簡単な説明】
【００１５】
【図１】：本考案を示す斜視図
【図２】：本考案を示す斜視分解図
【図３】：本考案のI-I状態を示す断面図
【図４】：図3のA部分を示す部分拡大図
【図５】：図3のB部分を示す部分拡大図
【図６】：本考案の実施状態を示す断面図
【考案を実施するための形態】
【００１６】
以下、本考案の実施の形態について、図面を参照して詳細に説明する。
【００１７】
図1乃至図5に示すように、中敷1と、当該中敷1内に設けられて互いに電気的に連接して回路に形成される押圧発電モジュール2と、二つの可撓性片状導電部3と、少なくとも一つの電気抵抗発熱チップ4とを備え、当該押圧発電モジュール2は圧力を受けることで電力を生産することであり、当該中敷1の踵の部分に位置され、且つ順次に重ねられる第一導電層21と、第一化合物結晶層22と、第二導電層23と、第二化合物結晶層24とを有し、当該第一導電層21と当該第二導電層23との間に、当該第一化合物結晶層22外に取り囲む片状絶縁層25が設けられ、当該第一導電層21及び当該第一化合物結晶層24が別々に二つの当該可撓性片状導電部3の中の一つに対応して電気的に連接され、当該電気抵抗発熱チップ4は、表面実装部品であり、二つの当該可撓性片状導電部3の自由端の間に表面実装技術で電気的に連接して設けられ、且つ当該中敷1の前半張りの部分に位置されることを特徴とする。
【００１８】
その中に、前記押圧発電モジュール2と、前記電気抵抗発熱チップ4との配合によって、温度制御について温度が高すぎるや低すぎるという問題がとても少なく、安全性が高く、別の電源が要らない。
【００１９】
また、前記第一導電層21、前記第一化合物結晶層22、前記第二導電層23及び前記第二化合物結晶層24で組まれる前記押圧発電モジュール2は、組成が簡単で、コストが低くなり、容易に生産するようになり、同時に故障率がさらに最小になる。
【００２０】
なお、前記押圧発電モジュール2は、人体は前記中敷1に踏む運動エネルギーを受け、電力を発生し、その後に電力が前記電気抵抗発熱チップ4を通じ、熱を発生し、従来の電熱式中敷と比べ、温度制御が良い、温度が高すぎるや低すぎるという恐れがなく、使用者にとって安全性が高く、最も大事なのは電池を別に加える必要がない。
【００２１】
もう一方、表面実装部品である前記電気抵抗発熱チップ4は、前記押圧発電モジュール2及び前記可撓性片状導電部3と配合した後、厚さが薄いので、前記中敷1と配合した後、当該中敷1の弾性が影響されなく、足がひりひりしなく、使用者の使用中の快適性及び便利性が保証される。
【００２２】
前記第一導電層21及び前記第二導電層23、両方も銅導電層であり、前記第一化合物結晶層22及び前記第二化合物結晶層24、両方も酒石酸カリウムナトリウムと石英とセラミックスで混合して焼結される。
【００２３】
その中に、銅導電層で作られる前記第一導電層21及び前記第二導電層23の応用と、酒石酸カリウムナトリウム、石英及びセラミックスで混合して焼結される前記第一化合物結晶層22及び前記第二化合物結晶層24と配合することで、前記押圧発電モジュール2の厚さは最小であることで、押圧発電の機能が実現され、前記電気抵抗発熱チップ4が有効に駆動されるようになる。
【００２４】
前記可撓性片状導電部3の自由端の縁が、一体化に設けられる。
【００２５】
その中に、このような設置方式で、前記電気抵抗発熱チップ4が表面実装技術で電気的に連接されるようになる。
【００２６】
前記中敷1は上層部11と、当該上層部11に対応して且つ当該上層部11の底面に設けられる下層部12と、当該上層部11と当該下層部12との間に設けられ、当該上層部11及び当該下層部12を連接して、前記押圧発電モジュール2、前記可撓性片状導電部3及び前記電気抵抗発熱チップ4を固定する粘着層13とを備える。
【００２７】
その中に、前記上層部11、前記下層部12及び前記粘着層13の配合によって、容易に組み立てて生産するだけではなく、さらに容易に前記押圧発電モジュール2、前記可撓性片状導電部3及び前記電気抵抗発熱チップ4を固定することができ、且つ完全に当該押圧発電モジュール2、当該可撓性片状導電部3及び当該電気抵抗発熱チップ4を保護することができ、消費者は安全で順調に応用するようになる。
【００２８】
前記上層部11が前記第二化合物結晶層24に対応する位置に、第一絶縁貼紙層5が設けられ、前記粘着層13が前記第一導電層21に対応する位置に、第二絶縁貼紙層6が設けられる。
【００２９】
その中に、前記第一絶縁貼紙層5及び前記第二絶縁貼紙層6の配合によって、前記上層部11と、前記可撓性片状導電部3との接点、及び前記第一導電層21と当該可撓性片状導電部3との接点が、短絡や破損する問題が発生することが防止される。
【００３０】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３１】
1     中敷                       23   第二導電層
11    上層部                     24   第二化合物結晶層
12    下層部                     25   片状絶縁層
13    粘着層                     3    可撓性片状導電部
2     押圧発電モジュール         4    電気抵抗発熱チップ
21    第一導電層                 5    第一絶縁貼紙層
22    第一化合物結晶層           6    第二絶縁貼紙層
【図１】
0003201767.tif 000003
【図２】
0003201767.tif 000004
【図３】
0003201767.tif 000005
【図４】
0003201767.tif 000006
【図５】
0003201767.tif 000007
【図６】
0003201767.tif 000008